(57)【要約】【課題】コンセントからプラグ本体を抜きやすく、差し込んだプラグが固着、解放できるための脱落防止付プラグを提供する。【解決手段】プラグ本体を基台の両側に沿って支持腕を設け、支軸Ａを中心とした先端に差込片を有し、支軸Ａを挟み反対側には爪付きのＬ型アームを装着、コンセント前板にプラグ差込片、爪に相対する嵌合片、受け部を施し、レバーの押圧に連動して、プラグの固着、解放することを特徴とする、脱落防止付プラグ【選択図】図４
2008041633.tif 000002
【特許請求の範囲】
【請求項１】
プラグ本体を基台の両側に沿って二股状の支持腕を設け、支軸Ａを中心とした先端に差込片を有し、支軸Ａを挟み反対側には爪付きのＬ型アームを装着又、コンセント前板には、プラグの差込片、爪に相対する嵌合片、受け部を設けレバーの押圧に連動してプラグの固着、開放することを特徴とする脱落防止付プラグ
【発明の詳細な説明】
【技術分野】
【０００１】本発明のコンセントからプラグが抜きやすく、差込んだプラグが固着できる脱落防止付プラグに関するものである。
【技術分野】
【０００２】従来はプラグをコンセントからの着脱は指先でプラグ本体をつまんで引き抜いていた。
また、プラグ本体を引き抜くための輪を設け、輪に指を引っ掛けて引き抜くことができる発明が知られている（特許文献１）。
プラグとコンセントの着脱力が大きく必要な引き抜き力に対して操作レバーを設けることで簡単に引き抜くことができる発明が知られている（特許文献２）。
【特許文献１】特開平１１−２６０４７８号公報
【特許文献２】特開平９−６３６９３号公報
【発明の開示】
【発明が解決しようとする課題】
【０００３】そのために次のような問題点があった。
（イ）      プラグの電極がコンセントに固く挟まれている時は、プラグが引き難く、コードを持って引っ張った時、コードの断線する等の故障の原因になっていた。
（ロ）      コンセントがプラグの電極の固着力が弱く、コンセントから電極が露出した時、金属片の接触、埃の蓄積等による危険を伴う事がある。
（ハ）      プラグ本体をコンセントに差込むと、壁面から突き出てしまうので手足などで引っ掛けて外してしまうなど危険を伴う。また狭いスペースには利用できなかった。
本発明は以上のような問題点を解決するためになされたものである。
【課題を解決するための手段】
【０００４】プラグ本体を基台の両側に沿って、二股状の支持腕を設け、支軸Ａを中心とした先端に差込片を有し、支軸Ａを挟み反対側には、爪付きのＬ型アームを装着、又、コンセント前板には、プラグの差込片爪に相対する嵌合片、受け部を設けレバーの押圧に連動し、プラグ本体の固着、開放することを特徴とする、脱落防止付プラグである。
【発明の効果】
【０００５】固めのコンセントからプラグを簡単に抜くことができ、緩めのコンセントからプラグが抜け落ちることを防止できる。また、簡単に抜くことができるため、コードを引っ張ったりせずプラグを外せるので、コードの断線の原因を防ぐことができる。
コンセントのプラグを差込んでも壁面から突き出さないので、安全で家具の裏側などの狭いスペースでも使用できる。
【発明を実施するための最良の形態】
【０００６】以下、本発明の実施の形態について説明する。
（イ）      二股状の支持腕（５）からなる基台（４）とこれに被着する基台カバー（７）を基台（４）の位置決め溝（２９）に基台カバー（７）を突き当て、ネジ穴Ａ（２５）とネジ穴Ｂ（２４）を合わせて、カバー固定ネジ（１３）を通し、ナット（１４）で締め付けて一体化する。
（ロ）      プラグ本体（１）の両側に支軸Ａ（２）を有する電極（３）を挟み、電通板（１８）の先端、プラグ連結穴（３２）に組み合わせて、基台（４）基台カバー（７）のプラグ収納部（２６）に組み込まれる。
（ハ）      基台（４）の中央部にレバー収納穴（３０）、基台カバー（７）の中央部のレバー収納穴Ｂ（２７）を合わせて基台（４）を固着する爪（１１）を受けるＬ型アーム（１０）、レバー（８）、そして支軸Ｂ（９）を支軸Ｂ溝（２８）に合わせて組み合わせと共にバネ受け（２３）とレバー（８）の間にバネ（１２）を挟み、爪（１１）の開閉の反発力を持たせる。
（ニ）      コンセント前板（１５）の前部の嵌合片（１７）、後部には受け部（１６）を設ける。
（ホ）      電通板（１８）はプラグ本体（１）に電極（３）を組み合わせて支軸Ａ（２）をプラグ連結穴（３２）に合わせて基台（４）に納め、ネジ用タップ穴（３１）と板端子（２０）を小ネジ（１９）でコード（２２）と接続する。
本発明は以上のような構造で、これを使用する時、プラグ本体（１）の電極（３）をコンセント（２１）に差し込む場合、親指と中指で基台（４）、基台カバー（７）のツマミ部（３３）を摘み、プラグ本体（１）の上部を人差指で抑え、コンセント（２１）に電極（３）を押し込みながら差込片（６）を嵌合片（１７）に向けて押し込むと共に爪（１１）は受け部（１６）に支軸Ａ（２）を回転軸にバネ（１２）の反発力をレバー（８）、Ｌ型アーム（１０）を介して、コンセント（２１）にプラグ本体は固着する。
又、コンセント（２１）からプラグ本体（１）の電極（３）を引き抜く時は、基台（４）のツマミ部（３３）を親指と中指で摘み、レバー（８）を人差指で押圧することにより、爪（１１）は支軸Ｂ（９）を支点にＬ型アーム（１０）を介して開放された後、差込片（６）を梃子に基台（４）を引き上げることにより、プラグ本体（１）はコンセント（２１）から微力で引き抜き離脱する。
【図面の簡単な説明】
【０００７】
【図１】      本発明の斜視図
【図２】      本発明の平面図
【図３】      本発明の断面図
【図４】      本発明の使用状態を示す側面図
【図５】      本発明の分解斜視図
【図６】      本発明の他の斜視図
【符号の説明】
【０００８】１        プラグ本体
２        支軸Ａ
３        電極
４        基台
５        支持腕
６        差込片
７        基台カバー
８        レバー
９        支軸Ｂ
１０      Ｌ型アーム
１１      爪
１２      バネ
１３      カバー固定ネジ
１４      ナット
１５      コンセント前板
１６      受け部
１７      嵌合片
１８      電通板
１９      板端子
２０      小ネジ
２１      コンセント
２２      コード
２３      バネ受け
２４      ネジ穴Ｂ
２５      ネジ穴Ａ
２６      プラグ収納部
２７      レバー収納部Ｂ
２８      支軸Ｂ溝
２９      位置決め溝
３０      レバー収納部Ａ
３１      小ネジ用タップ穴
３２      プラグ連結穴
３３      ツマミ部
【図１】
2008041633.tif 000003
【図２】
2008041633.tif 000004
【図３】
2008041633.tif 000005
【図４】
2008041633.tif 000006
【図５】
2008041633.tif 000007
【図６】
2008041633.tif 000008
【図７】
2008041633.tif 000009
【手続補正書】
【提出日】平成18年10月24日(2006.10.24)
【手続補正１】
【補正対象書類名】明細書
【補正対象項目名】０００７
【補正方法】変更
【補正の内容】
【０００７】
【図１】  本発明の斜視図
【図２】  本発明の平面図
【図３】  本発明の断面図
【図４】  本発明の使用状態を示す側面図
【図５】  本発明の分解斜視図
【図６】  本発明の他の斜視図
【図７】  本発明の前板斜視図